(57)【要約】【課題】  底部を把持して倒立状態で使用する容器を使用する際に、不用意に落下させてしまうことを防止できる容器を提供する。【解決手段】  容器本体１１の胴部１６と底部１７との間には、底部１７が胴部１６よりも大きくなるような段差１８が一体に形成される。こうした段差１８の幅Ｗは、底部１７が胴部１６よりも０．５〜３０ｍｍの範囲で大きくなるように形成されれば良い。また、底部１７は、底面１７ａから段差１８までの高さをＡ、短円方向における底部１７の幅をＢとしたときに、「２×Ａ＋Ｂ＜１００ｍｍ」の式を満たすように形成されれれば良い。【選択図】        図２
2006232348.tif 000002
【特許請求の範囲】
【請求項１】
内容物を吐出させる吐出口が取り付けられた頂部と、前記頂部から延び、断面が略楕円形を成す中空の胴部と、前記胴部を閉塞する底部とが一体に形成された容器であって、
前記胴部の少なくとも長円方向ないし短円方向のいずれかにおいて、前記底部が前記胴部よりも０．５〜３０ｍｍの範囲で大きくなる段差を前記底部と前記胴部との境界に形成したことを特徴とする容器。
【請求項２】
前記底部の底面から前記段差までの高さをＡ、短円方向における前記底部の幅をＢとしたときに、２×Ａ＋Ｂ＜１００ｍｍで示される式の範囲内に前記ＡおよびＢが設定されることを特徴とする請求項１記載の容器。
【請求項３】
内容物を吐出させる吐出口が取り付けられた頂部と、前記頂部から延び、断面が円形を成す中空の胴部と、前記胴部を閉塞する底部とが一体に形成された容器であって、
前記底部が前記胴部よりも０．５〜３０ｍｍの範囲で大きくなる段差を前記底部と前記胴部との境界に形成したことを特徴とする容器。
【請求項４】
前記底部の底面から前記段差までの高さをＣ、前記底部の直径をＤとしたときに、２×Ｃ＋Ｄ＜１００ｍｍで示される式の範囲内に前記ＣおよびＤが設定されることを特徴とする請求項３記載の容器。
【発明の詳細な説明】
【技術分野】
【０００１】
本発明は、液体などの内容物を一方向に向けて吐出させる容器に関する。
【背景技術】
【０００２】
例えば、トイレ用の液体洗剤や先端にブラシを備えた部分洗い用洗剤（スポットクリーナー）など、吐出口を下に向けて使用する容器は、容器の底部を把持し容器を倒立させる使用することになる。このように、底部を把持して倒立状態で使用する容器は、従来、底部が緩やかに窄まっているものが多かったため、使用中に容器を落下させやすいという課題があった。特に、容器に収容されている内容物が漂白剤など刺激性の強い薬剤の場合、落下による薬剤の飛散も懸念される。また、トイレ用液体洗剤などでは、衛生器具に落下させた容器を取り上げることに対する抵抗感が強く、こうした容器の落下防止対策が望まれていた。
【０００３】
また、近年、日用品を障害者にも健常者にも使いやすくする、いわゆるユニバーサルデザインを考慮した製品作りが求められている。こうした観点からも、吐出口を下に向けて使用する容器は、握力の弱い高齢者などにも落下させずに楽に使用できる形態が求められていた。
【０００４】
容器の外面形状に関する従来例としては、例えば、特許文献１には、容器の開閉部位に中空構造を成すつまみ片と、容器の胴部に凹部を形成したプラスチック容器が記載されている。また、例えば、特許文献２には、口部と底部との軸心を偏心させたボトル型容器が記載されている。
【特許文献１】特開２００３−１０４３４６号公報
【特許文献２】特開２００３−０４０２３３号公報
【発明の開示】
【発明が解決しようとする課題】
【０００５】
しかしながら、底部を把持して倒立状態で使用する容器に関して、使用時に落下を防止させるための構成は従来から知られていなかった。上述した特許文献１に記載の発明は、内容物を吐出させる口部が上を向いた、正立状態での持ちやすさを改良したものであって、倒立使用時の落下防止には寄与しない。また、特許文献２に記載の発明は、容器の外観のデザイン上の斬新さを得ることが目的であり、倒立状態で使用する際の落下防止を目的としたものではなく、そうした効果を得ることも難しい。
【０００６】
本発明は、上記事情に鑑みてなされたものであって、底部を把持して倒立状態で使用する容器を、使用時に不用意に落下させることを防止できる容器を提供することを目的とする。
【課題を解決するための手段】
【０００７】
上記の目的を達成するために、本発明によれば、内容物を吐出させる吐出口が取り付けられた頂部と、前記頂部から延び、断面が略楕円形を成す中空の胴部と、前記胴部を閉塞する底部とが一体に形成された容器であって、前記胴部の少なくとも長円方向ないし短円方向のいずれかにおいて、前記底部が前記胴部よりも０．５〜３０ｍｍの範囲で大きくなる段差を前記底部と前記胴部との境界に形成したことを特徴とする容器が提供される。
【０００８】
前記底部の底面から前記段差までの高さをＡ、短円方向における前記底部の幅をＢとしたときに、２×Ａ＋Ｂ＜１００ｍｍで示される式の範囲内に前記ＡおよびＢが設定されればよい。
【０００９】
また、本発明の容器によれば、内容物を吐出させる吐出口が取り付けられた頂部と、前記頂部から延び、断面が円形を成す中空の胴部と、前記胴部を閉塞する底部とが一体に形成された容器であって、前記底部が前記胴部よりも０．５〜３０ｍｍの範囲で大きくなる段差を前記底部と前記胴部との境界に形成したことを特徴とする容器が提供される。
【００１０】
前記底部の底面から前記段差までの高さをＣ、前記底部の直径をＤとしたときに、２×Ｃ＋Ｄ＜１００ｍｍで示される式の範囲内に前記ＣおよびＤが設定されればよい。
【発明の効果】
【００１１】
前記底部と前記胴部との境界に、幅０．５〜３０ｍｍの段差を形成することで、容器の使用時に、使用者が底部を握って容器を倒立させて吐出口を下に向けた際に、段差の作用で指がかりができ、容器を落下しにくくする。
【００１２】
また、略楕円形の断面の容器において、「２×Ａ＋Ｂ＜１００ｍｍ」の式を満たすように、底部の底面から段差までの高さＡ、短円方向における底部１７の幅Ｂをそれぞれ設定することで、底部が大変握りやすくなる。さらに、円形の断面の容器において、「２×Ｃ＋Ｄ＜１００ｍｍ」の式を満たすように、底部の底面から段差までの高さＣ、底部の直径Ｄをそれぞれ設定することで、底部が大変握りやすくなる。底部の大きさを成人の標準的な手の大きさを勘案したサイズにすることにより、握力の弱い高齢者などでも容器を楽に把持できるようになる。そして、段差の形成と相まって、容器を落下させることなく確実に内容物を吐出させることが出来るようになる。
【発明を実施するための最良の形態】
【００１３】
以下、本発明の実施の形態について、図面を交えて説明する。図１は、本発明の容器を示す外観斜視図である。本発明の容器１０は、例えば内容物としてトイレ用の洗剤が収納される。容器１０は、樹脂等で形成された容器本体１１と、ノズル状の吐出口１２を備えた吐出部１３とから形成されている。
【００１４】
吐出部１３は、容器本体１１に対して、例えば、ねじ溝の噛み合わせによって係合されればよい。また、吐出部１３の一端には、吐出口１２を覆うキャップ１４が取り付けられれば良い。こうしたキャップ１４は、吐出口１２に残留した洗剤などの内容物が乾燥して固化し、吐出口１２を塞いでしまうことを防止する。吐出口１２は、例えば屈曲したノズル形状を成し、倒立使用時に衛生用品の裏側などに向けて洗剤を吐出しやすくする役割を果たす。
【００１５】
容器本体１１は、吐出部１３が取り付けられる頂部１５と、この頂部１５から延びる中空の胴部１６と、胴部１６を受け止めて閉塞する底部１７とが、例えばブロー成形法などによって一体に形成される。こうした容器本体１１は、胴部１６の断面が略楕円形を成すように形成されれば良い。
【００１６】
図２ａは、こうした略楕円形状の断面をもつ容器本体１１を備えた容器１０を、略楕円形状の長円方向を正面として見たときの平面図である。また、図２ｂは、容器本体１１の略楕円形状の短円方向を正面として見たときの平面図である。容器本体１１の胴部１６と底部１７との間には、底部１７が胴部１６よりも大きくなるような段差１８が一体に形成される。こうした段差１８の幅Ｗは、底部１７が胴部１６よりも０．５〜３０ｍｍの範囲で大きくなるように形成されれば良い。
【００１７】
また、底部１７は、底面１７ａから段差１８までの高さをＡ、短円方向における底部１７の幅をＢとしたときに、「２×Ａ＋Ｂ＜１００ｍｍ」の式を満たすように形成されれれば良い。
【００１８】
幅０．５〜３０ｍｍの段差１８を形成することで、容器１０の使用時に、使用者が底部１７を握って容器１０を倒立させて吐出口１２を下に向けた際に、段差１８の作用で指がかりができ、容器１０を落下しにくくする。
【００１９】
また、「２×Ａ＋Ｂ＜１００ｍｍ」の式を満たすように、底部１７の底面１７ａから段差１８までの高さＡ、短円方向における底部１７の幅Ｂをそれぞれ設定することで、底部１７が大変握りやすくなる。底部１７の大きさを成人の標準的な手の大きさを勘案したサイズにすることにより、握力の弱い高齢者などでも容器を楽に把持できるようになる。そして、段差１８の形成と相まって、容器１０を落下させることなく確実に内容物を吐出させることが出来るようになる。
【００２０】
図３ａは、本発明の第２の実施形態における略楕円形状の断面をもつ容器本体を備えた容器を、略楕円形状の長円方向を正面として見たときの平面図である。また、図３ｂは、容器本体の略楕円形状の短円方向を正面として見たときの平面図である。この第２の実施形態における容器２０では、底部２７と胴部２６との間に形成される段差２８が、容器本体２１の略楕円形状の短円方向だけに形成されている。この段差２８の幅Ｗも、底部２７が胴部２６よりも０．５〜３０ｍｍの範囲で大きくなるように形成されれば良い。
【００２１】
また、この容器本体２１の底部２７も、底面２７ａから段差２８までの高さをＡ、短円方向における底部２７の幅をＢとしたときに、「２×Ａ＋Ｂ＜１００ｍｍ」の式を満たすように形成されれれば良い。
【００２２】
図４は、本発明の第３の実施形態における容器を示す外観斜視図である。この実施形態では、例えば、部分洗い洗濯用洗剤（スポットクリーナー）の容器を挙げる。容器３０は、樹脂等で形成された容器本体３１と、ブラシ３４および吐出口３２を備えた吐出部３３とから形成されている。
【００２３】
容器本体３１は、吐出部３３が取り付けられる頂部３５と、この頂部３５から延びる中空の胴部３６と、胴部３６を受け止めて閉塞する底部３７とが、例えばブロー成形法などによって一体に形成される。こうした容器本体３１は、胴部１６の断面が円形を成すように形成されている。
【００２４】
容器本体３１の胴部３６と底部３７との間には、底部３７が胴部３６よりも大きくなるような段差３８が一体に形成される。こうした段差３８の幅Ｗは、底部３７が胴部３６よりも０．５〜３０ｍｍの範囲で大きくなるように形成されれば良い。
【００２５】
また、底部３７は、底面３７ａから段差３８までの高さをＣ、底部３７の直径をＤとしたときに、「２×Ｃ＋Ｄ＜１００ｍｍ」の式を満たすように形成されれれば良い。
【００２６】
幅０．５〜３０ｍｍの段差３８を形成することで、容器３０の使用時に、使用者が底部３７を握って容器３０を倒立させて吐出口１２を下に向けつつブラシ３４で被洗浄物を擦る際に、段差３８の作用で指がかりができ、円筒形の容器３０を落下しにくくする。
【００２７】
また、「２×Ｃ＋Ｄ＜１００ｍｍ」の式を満たすように、底部３７の底面３７ａから段差３８までの高さＣ、底部３７の直径Ｄをそれぞれ設定することで、底部３７が大変握りやすくなり、握力の弱い高齢者などでも容器１０を落下させずに楽に把持できるようになる。
【図面の簡単な説明】
【００２８】
【図１】図１は、本発明の容器を示す外観斜視図である。
【図２】図２は、本発明の容器の平面図である。
【図３】図３は、第２の実施形態の容器を示す平面図である。
【図４】図４は、第３の実施形態の容器を示す外観斜視図である。
【符号の説明】
【００２９】
１０  容器
１１  容器本体
１２  吐出口
１３  吐出部
１４  キャップ
１５  頂部
１６  胴部
１７  底部
１８  段差
【図１】
2006232348.tif 000003
【図２】
2006232348.tif 000004
【図３】
2006232348.tif 000005
【図４】
2006232348.tif 000006